(57)【要約】【課題】現金回収センタにおいてヘッダカードを使用して紙葉類を処理する際の前準備を省略できるようにする。【解決手段】紙葉類処理装置は、紙葉類の種別を識別する識別部と、前記識別部により識別された前記紙葉類を搬送する搬送部と、前記搬送部により搬送された複数の前記紙葉類からなる紙葉類群を収納する収納部と、制御部と、を備える。前記複数の紙葉類は、額面が付与された第１紙葉類と、前記紙葉類群を特定するための特定情報が予め付与された第２紙葉類とを含む。前記制御部は、前記識別部による識別結果に基づいて、前記収納部への受け付け対象である前記第１紙葉類であると識別された前記紙葉類と、前記第２紙葉類であると識別された前記紙葉類とを前記収納部内へと搬送するよう前記搬送部を制御する。【選択図】図２
2020046705.tif 000002
【特許請求の範囲】
【請求項１】
紙葉類の種別を識別する識別部と、
前記識別部により識別された前記紙葉類を搬送する搬送部と、
前記搬送部により搬送された複数の前記紙葉類からなる紙葉類群を収納する収納部と、
制御部と、を備え、
前記複数の紙葉類は、額面が付与された第１紙葉類と、前記紙葉類群を特定するための特定情報が予め付与された第２紙葉類とを含み、
前記制御部は、前記識別部による識別結果に基づいて、前記収納部への受け付け対象である前記第１紙葉類であると識別された前記紙葉類と、前記第２紙葉類であると識別された前記紙葉類とを前記収納部内へと搬送するよう前記搬送部を制御する、紙葉類処理装置。
【請求項２】
前記制御部は、少なくとも前記収納部に前記第２紙葉類が収納されたことを条件として前記収納部に対する所定の処理を行い、
前記収納部は、前記制御部により前記所定の処理が行われた後、前記紙葉類処理装置から取り外し可能に構成される
請求項１に記載の紙葉類処理装置。
【請求項３】
前記収納部は、前記搬送部により搬送された前記紙葉類が前記収納部内に投入されるための開口部を有し、
前記制御部が行う前記所定の処理には、前記開口部を封止する処理が含まれる
請求項２に記載の紙葉類処理装置。
【請求項４】
前記所定の処理には、前記第１紙葉類と前記第２紙葉類との間を仕切る処理が含まれる
請求項３に記載の紙葉類処理装置。
【請求項５】
前記制御部は前記搬送部を制御し、前記収納部において、前記第２紙葉類が、前記紙葉類群の最上位及び最下位の少なくとも一方に配置される
請求項１〜４の何れか一項に記載の紙葉類処理装置。
【請求項６】
前記第２紙葉類を複数保持し、前記第２紙葉類を一枚ずつ、前記搬送部へ供給する供給ユニットをさらに備えた
請求項１〜５の何れか一項に記載の紙葉類処理装置。
【請求項７】
前記第２紙葉類を前記紙葉類処理装置の外部から前記搬送部へ供給する取込部をさらに備えた
請求項１〜６の何れか一項に記載の紙葉類処理装置。
【請求項８】
前記制御部は、前記収納部に収納された前記紙葉類群に関する紙葉類群情報と、前記紙葉類群を特定するための前記特定情報とを関連づけた情報セットを外部に出力する
請求項１〜７の何れか一項に記載の紙葉類処理装置。
【請求項９】
前記情報セットは、前記紙葉類処理装置に関する装置情報を含む
請求項８に記載の紙葉類処理装置。
【請求項１０】
請求項８又は９に記載の前記紙葉類処理装置である第１処理装置から出力された前記情報セットが入力される入力部と、
前記情報セットと、前記第１処理装置の使用者情報とを関連付けるサーバ制御部とを備えた
紙葉類処理サーバ。
【請求項１１】
前記第２紙葉類の前記特定情報と、前記使用者情報との対応関係を予め格納している記憶部をさらに備え、
前記サーバ制御部は、前記特定情報に応じて前記対応関係から取得した前記使用者情報と、前記情報セットとを関連付ける
請求項１０の紙葉類処理サーバ。
【請求項１２】
前記第１処理装置が、請求項９に記載の前記紙葉類処理装置であり、
前記装置情報と、前記使用者情報との対応関係を予め格納している記憶部をさらに備え、
前記サーバ制御部は、前記装置情報に応じて前記対応関係から取得した前記使用者情報と、前記情報セットとを関連付ける
請求項１０の紙葉類処理サーバ。
【請求項１３】
請求項８又は９に記載の前記紙葉類処理装置である第１処理装置と、
請求項１０〜１２の何れか一項に記載の前記紙葉類処理サーバと、
第２処理装置とを備え、
前記紙葉類群に関する前記紙葉類群情報は、少なくとも前記紙葉類群の金額情報を含み、
前記第２処理装置は、前記第１処理装置により処理された前記紙葉類群を処理することによって、前記金額情報と前記特定情報とを取得し、
前記紙葉類処理サーバの前記サーバ制御部、又は、前記第２処理装置の制御部は、前記第１処理装置で取得した前記特定情報と、前記第２処理装置で取得した前記特定情報とを照合するとともに、前記第１処理装置で取得した前記紙葉類群情報と、前記第２処理装置で取得した前記紙葉類群情報とを照合する
紙葉類処理システム。
【発明の詳細な説明】
【技術分野】
【０００１】
本発明は、紙葉類の処理に供される紙葉類処理装置，紙葉類処理サーバ及び紙葉類処理システムに関する。
【背景技術】
【０００２】
従来、銀行の支店、大型の商業施設等で現金を回収して、この現金を現金回収センタと呼ばれる拠点へ移送して管理する運用が行われている。
【０００３】
例えば、商業施設では、営業時間の終了後、当日の売上金が現金回収センタへ移送される前に、商業施設内の複数の店舗からそれぞれ回収した紙幣が、バックオフィスに設置された紙幣処理装置で入金処理される。すなわち、各店舗から回収された紙幣の合計金額等が紙幣処理装置によって店舗毎に数えられる。
【０００４】
入金された紙幣は、店舗毎に纏められて現金回収センタへ移送される。現金回収センタでは、商業施設から移送されてきた紙幣を紙幣処理装置により処理して、回収された紙幣の合計金額等を店舗毎に再び数える。そして、現金回収センタでは、この合計金額等が、各店舗において入金された金額や金種毎の枚数が一致しているかを検証する。
【０００５】
このような現金回収センタでの処理を容易に行えるよう、バーコードやシリアルナンバなどの特定情報を印刷したヘッダカードを利用して、取引毎に紙幣を区別しながら連続して処理できるようにした技術が種々提案されている（例えば特許文献１参照）。例えば、移送元となる商業施設では、この商業施設に属する各店舗から１日毎に回収した紙幣の入金を一取引として入金処理が行われる。移送先となる現金回収センタでは、商業施設で入金処理を終えた各取引の紙幣にヘッダカードが積層され、紙葉類処理装置により、複数取引分の紙幣が、ヘッダカードによって取引毎に区別されつつ連続して処理される。
【先行技術文献】
【特許文献】
【０００６】
【特許文献１】米国特許第５９１７９３０号明細書
【発明の概要】
【発明が解決しようとする課題】
【０００７】
しかしながら、上述したような技術では、現金回収センタにおいて取引毎に紙幣にヘッダカードを積層する前準備が必要となり、この前準備に手間が掛かる。
【０００８】
本発明は、このような課題を解決するために創案されたものであり、現金回収センタにおいてヘッダカードを使用して紙葉類を処理する際の前準備を省略できるようにすることを目的とする。
【課題を解決するための手段】
【０００９】
上記従来の課題を解決するために、本発明の紙葉類処理装置は、紙葉類の種別を識別する識別部と、前記識別部により識別された前記紙葉類を搬送する搬送部と、前記搬送部により搬送された複数の前記紙葉類からなる紙葉類群を収納する収納部と、制御部と、を備える。前記複数の紙葉類は、額面が付与された第１紙葉類と、前記紙葉類群を特定するための特定情報が予め付与された第２紙葉類とを含む。前記制御部は、前記識別部による識別結果に基づいて、前記収納部への受け付け対象である前記第１紙葉類であると識別された前記紙葉類と、前記第２紙葉類であると識別された前記紙葉類とを前記収納部内へと搬送するよう前記搬送部を制御する。
【発明の効果】
【００１０】
本発明によれば、現金回収センタにおいてヘッダカードを使用して紙葉類を処理する際の前準備を省略できる。
【図面の簡単な説明】
【００１１】
【図１】本発明の各実施形態で共通の紙葉類処理システムの全体構成を示す模式図。
【図２】本発明の第１実施形態の紙幣処理装置の構成を示す模式図。
【図３】本発明の第１実施形態の紙幣処理装置の制御系の構成を示す機能ブロック。
【図４】本発明の第１実施形態に係る紙幣処理の制御フローの一例を示すフローチャート。
【図５】本発明の第２実施形態の紙幣処理装置の構成を示す模式図。
【図６】本発明の第２実施形態に係る紙幣処理の制御フローの一例を示すフローチャート。
【図７】本発明の第３実施形態の紙幣処理装置の構成を示す模式図。
【図８】本発明の第４実施形態の紙幣処理装置の構成を示す模式図。
【発明を実施するための形態】
【００１２】
以下、本発明の実施の形態に係る紙葉類処理装置ついて、図面を参照しながら説明する。以下に示す各実施の形態はあくまでも例示に過ぎず、以下の各実施の形態で明示しない種々の変形や技術の適用を排除するものではない。また、各実施の形態の各構成は、それらの趣旨を逸脱しない範囲で種々変形して実施することができる。さらに、各実施の形態の各構成は、必要に応じて取捨選択することができ、あるいは適宜組み合わせることができる。
【００１３】
以下の説明では、本発明の「額面が付与された第１紙葉類」として紙幣が用いられる場合について説明する。「額面が付与された第１紙葉類」とは、紙幣の他に、手形・小切手・株券・商品券などの有価証券を含む。
【００１４】
また、本明細書において「リジェクト紙葉類」とは、所定の処理で、処理対象とすることのできない紙葉類をいう。リジェクト紙葉類には、例えば、偽札や、後述する識別部を斜行状態や重送状態で通過したために識別部によって正しく識別されなかった紙幣と後述のカードとが含まれる。「正券」とは、汚れや破れ等が比較的少ない状態の紙幣をいう。
【００１５】
なお、各実施の形態を説明するための全図において、同一要素は原則として同一の符号を付し、その説明を省略することもある。
【００１６】
［１．各実施形態に係る紙葉類処理システムの全体構成］
本発明の各実施形態で共通となる紙葉類処理システムの全体構成について図１を参照して説明する。図１は、本発明の各実施形態で共通の紙葉類処理システムの全体構成を示す模式図である。
【００１７】
図１に示すように、紙幣処理システムＳ（紙葉類処理システム）は、紙幣処理装置１（第１処理装置）と、紙幣処理装置２（第２処理装置）と、紙幣処理サーバ３（紙葉類処理サーバ）とを備える。紙幣処理装置１は、本実施形態では複数の店舗からなる商業施設Ａのバックオフィスに設置される。紙幣処理装置２は現金回収センタＣに設置される。
【００１８】
紙幣処理装置１は、制御部５０と、送信部５１とを備え、商業施設Ａの店舗毎に売上の紙幣を数え、金額情報（紙葉類群情報）として、売上金額及び金種毎の紙幣枚数の内、少なくとも売上金額を取得する処理を行う。各実施形態では、以下、この処理、すなわち売上金額及び金種毎の紙幣枚数の内、少なくとも売上金額を取得する処理を、入金処理という。
【００１９】
この入金処理は１日の取引毎に行われる。つまり、毎日、商業施設Ａの店舗毎の売上金額が求められる。紙幣処理装置１は、詳しくは後述するが、各店舗の一日の取引毎に処理を行う際、各取引に対応する紙葉類群５００を処理する。紙葉類群５００は、各店舗の一日の売り上げである複数の紙幣５０１（第１紙葉類）と、後述のセパレータとして機能するカード５０２（第２紙葉類）とからなり、紙幣処理装置１は紙葉類群５００を収納する。
【００２０】
紙幣処理装置１は、紙葉類群５００を処理する際、紙葉類群５００毎に紙葉類群情報を取得する。紙葉類群情報とは、紙葉類群５００及び紙葉類群５００を構成する紙幣５０１に関する情報である。紙葉類群情報には、上述の売上金額に加え、本実施形態では、店舗に関する店舗情報と、売上の日付に関する日付情報とが含まれる。
【００２１】
制御部５０は、後述の操作表示部１２（図２参照）からオペレータが店舗情報（例えば店舗毎に設定されたＩＤ）を入力することで、店舗情報を取得できる。
【００２２】
制御部５０は、操作表示部１２からオペレータが日付情報を入力することで、又は、制御部５０の有するクロック機能から日付情報を取得できる。
【００２３】
紙葉類群情報には、紙葉類群５００を処理したオペレータに関するオペレータ情報を含めてもよい。この場合は、制御部５０は、後述の操作表示部１２（図２参照）からオペレータがオペレータ情報を（例えばオペレータ毎に設定されたＩＤ）を入力することで、オペレータ情報を取得できる。
【００２４】
以下、紙幣５０１とカード５０２とを区別しない場合には紙葉類５０１，５０２と表記する。
【００２５】
カード５０２は、カード５０２が属する紙葉類群５００を特定するための情報（特定情報）が付された紙葉類であって、紙幣ではない紙葉類である。カード５０２は、本実施形態ではシリアルナンバの形態で付されている。このシリアルナンバは、カード５０２毎に相異する。すなわち、カード５０２に記載されているシリアルナンバはユニークなナンバである。本実施形態では、商業施設Ａ（使用者）に対して、予め所定範囲（例えば０００１〜１０００）のシリアルナンバが割り当てられている。
【００２６】
紙幣処理装置１は、紙葉類群５００を構成する紙幣５０１に応じた売上金額等の紙葉類群情報と、同紙葉類群５００を構成するカード５０２のシリアルナンバとを関連づけた情報セットＩｎｆｏ.１を、送信部５１から紙幣処理サーバ３へと送信する。
【００２７】
紙幣処理装置２は、制御部６０と、送受信部６１とを備え、紙幣処理装置１での処理後に、後述の紙幣収納袋１７又は収納カセット１３０に収納された状態で現金回収センタＣまで搬送された紙葉類群５００を処理する。具体的には、紙幣処理装置２は、紙葉類群５００の紙幣５０１の合計金額、すなわち商業施設Ａの売上金額を、識別部（図示省略）に識別結果に基づいて取得すると共に、同紙葉類群５００のカード５０２のシリアルナンバを当該識別部により取得する。そして、紙幣処理装置２は、これらの情報を関連づけた情報セットＩｎｆｏ．２を送受信部６１から紙幣処理サーバ３へと送信する。なお紙葉類群５００が透明の紙幣収納袋１７に収容されている場合には、紙幣収納袋１７に収容された状態で紙葉類群５００のシリアルナンバを、紙幣処理装置２とは別体の読取機により読み込むことができる。この場合、シリアルナンバの情報は、読取機から紙幣処理装置２に送信される。
【００２８】
紙幣処理サーバ３は、サーバ制御部７０と、送受信部７１と、記憶部７２とを備え、紙幣処理装置１から取得した情報セットＩｎｆｏ.１と、紙幣処理装置２から取得した情報セットＩｎｆｏ.２とを照合する。詳しくは、紙幣処理サーバ３は、紙幣処理装置１，２から取得した情報セットＩｎｆｏ.１，Ｉｎｆｏ.２の中から、カード５０２のシリアルナンバが共通する情報セットＩｎｆｏ.１，Ｉｎｆｏ.２の売上金額どうしを比較する。すなわち、紙幣処理サーバ３は、カード５０２のシリアルナンバによって関連づけられた同一取引に関する情報セットＩｎｆｏ.１，Ｉｎｆｏ.２の売上金額が同一であるかを検証する。この検証結果は、紙幣処理サーバ３に付設された外部出力装置（図示省略）によりオペレータに提示される。
【００２９】
上述したとおり、商業施設Ａが使用しセパレータとして機能するカード５０２として、予め所定範囲のシリアルナンバのカード５０２が割り当てられている。紙幣処理サーバ３の記憶部７２には、紙幣処理装置１の使用者を特定する情報（使用者情報）と、カード５０２のシリアルナンバとの対応関係が格納されている（予め登録されている）。紙幣処理サーバ３は、当該対応関係にしたがって、シリアルナンバから、紙幣処理装置１の使用者すなわち紙葉類群５００の紙幣５０１の保有者を特定することができる。紙幣処理サーバ３は、この使用者情報を情報セットに含め、現金回収センタＣの紙幣処理装置に出力する。
【００３０】
なお、商業施設Ａに対して、予め所定範囲（例えば０００１〜１０００）のシリアルナンバが割り当てられる（予め登録される）替わりに、次のようにして、紙葉類群５００の紙幣５０１の保有者を特定するようにしてもよい。
【００３１】
つまり、紙幣処理装置１が、この紙幣処理装置１を特定する情報（以下「装置情報」と称する）を情報セットＩｎｆｏ.１に含めて紙幣処理サーバ３に送信するようにしてもよい。すなわち、商業施設Ａの売上金額と、カード５０２のシリアルナンバと、装置情報とを関連づけて情報セットＩｎｆｏ.１として紙幣処理サーバ３に送信するようにしてもよい。装置情報は、紙幣処理装置１に付与された装置特定情報（たとえば装置固有の記号）が用いられる。
【００３２】
この場合、紙幣処理サーバ３の記憶部７２には、紙幣処理装置１の使用者を特定する情報（使用者情報）と、装置情報との対応関係が格納されている。紙幣処理サーバ３は、当該対応関係にしたがって、装置情報から、紙幣処理装置１の使用者すなわち紙葉類群５００の紙幣５０１の保有者を特定でき、紙幣処理サーバ３は、この使用者情報を情報セットに含め、現金回収センタＣの紙幣処理装置２に送信する。
【００３３】
なお、カード５０２のシリアルナンバによって関連づけられた同一取引に関する情報セットＩｎｆｏ.１，Ｉｎｆｏ.２の売上金額が同一であるかの検証を、紙幣処理サーバ３に替えて紙幣処理装置２で行うようにしてもよい。この場合、紙幣処理装置２は、紙幣処理装置１の情報セットＩｎｆｏ.１を、紙幣処理サーバ３を介して、又は、紙幣処理装置１から直接受信する。
【００３４】
［２．第１実施形態］
［２−１．構成］
［２−１−１．紙幣処理装置の構成］
本発明の第１実施形態の紙幣処理装置１について図２を参照して説明する。図２は、本発明の第１実施形態の紙幣処理装置の構成を示す模式図である。
【００３５】
本実施形態の紙幣処理装置１は、図２に示す紙幣処理装置１Ａにより構成される。この紙幣処理装置１Ａは、紙幣の入金処理等の様々な処理を行うことができるように構成されている。以下の説明では、紙幣処理装置１の操作表示部１２の配置された側を前とし、その反対側を後とする。また、前後方向と直交する水平方向を左右方とする。
【００３６】
図１に示すように、紙幣処理装置１Ａは略直方体形状の筐体１０を有している。筺体１０の外部には、上述の送信部５１が設けられている。送信部５１は筺体１０の内部に設けてもよい。また、筐体１０の内部には、上部ユニット１０ａおよび下部ユニット１０ｂがそれぞれ当該筐体１０の前面から前方に引き出し可能に収容されている。上部ユニット１０ａにおいて、筐体１０の前面上部には、筐体１０の外部から内部に紙幣を投入するための受入ホッパ等の取込部１３が設けられている。また、取込部１３の下方には、筐体１０の内部から外部に紙幣を投出するための投出部１４が設けられている。
【００３７】
取込部１３には、オペレータにより１つの紙葉類群５００がセットされる。取込部１３には、この紙葉類群５００を構成する紙葉類５０１，５０２を１枚ずつ筐体１０の内部に繰り出すための紙幣繰出機構１３ａが設けられている。また、上部ユニット１０ａにおいて、紙幣処理装置１Ａの筐体１０の内部には、筐体１０内で紙葉類５０１，５０２を１枚ずつ搬送する搬送部１５が設けられており、紙幣繰出機構１３ａにより取込部１３から繰り出された紙幣は当該搬送部１５により１枚ずつ搬送される。また、搬送部１５の近傍には識別部１１が設けられている。識別部１１は、搬送部１５によって搬送される紙幣５０１の金種、真偽、表裏、正損、新旧及び搬送状態等を識別する。さらには、識別部１１は、搬送部１５によって搬送されるカード５０２について、カード５０２がセパレータとして機能するカードであること、及び、シリアルナンバを識別する。なお、識別部１１は、カード５０２の真偽を識別してもよい。
【００３８】
図２に示すように、搬送部１５には投出部１４が接続されており、搬送部１５から投出部１４に送られた紙葉類５０１，５０２は投出部１４に集積される。また、投出部１４は筐体１０の外部からアクセス可能となっており、オペレータは投出部１４に集積された紙葉類５０１，５０２を筐体１０の前面から取り出すことができる。また、搬送部１５における投出部１４との接続箇所には羽根車１４ａが設けられている。この羽根車１４ａを回転させることによって、羽根車１４ａの２つの羽根の間に挟まれた紙葉類５０１，５０２を投出部１４に集積する。
【００３９】
また、上部ユニット１０ａにおいて、搬送部１５には収納繰出部１６（一時保留部）が設けられている。収納繰出部１６は、搬送部１５から搬送されてきた紙葉類５０１，５０２を収納するとともに、収納した紙葉類５０１，５０２を１枚ずつ搬送部１５に繰り出す。これにより、収納繰出部１６に収納された紙幣を、収納繰出部１６から紙幣収納袋１７（収納部）に搬送することができる。また、収納繰出部１６に収納された紙幣を、収納繰出部１６から投出部１４に搬送することもできるので、入金キャンセルにも容易に対応できる。
【００４０】
本実施形態では、収納繰出部１６は、テープリール式の繰出装置により構成されている。具体的には、収納繰出部１６は、正逆両方向に回転可能なドラム１６ａが設けられており、当該ドラム１６ａの外周面には一対の帯状のテープ１６ｂの一端が接続されている。そして、搬送部１５から収納繰出部１６に紙葉類５０１，５０２が送られると、これらの帯状のテープ１６ｂにより紙葉類５０１，５０２は１枚ずつテープ１６ｂごとドラム１６ａに巻き取られる。一方、ドラム１６ａを逆方向に回転させることにより各テープ１６ｂをドラム１６ａから巻き戻すとドラム１６ａに巻き取られている紙葉類５０１，５０２が各テープ１６ｂから放出されて搬送部１５に繰り出される。
【００４１】
図１に示すように、本実施の形態では、下部ユニット１０ｂには、一方に開口部１７ａが設けられたパウチ袋等の紙幣収納袋１７の内部に、紙葉類群５００を収納させるための紙幣収納機構１８が複数（本実施形態では２つ）設けられている。各紙幣収納機構１８には、それぞれ、一対の保持部材１８ａが互いに対向するよう離間して設けられており、紙幣収納袋１７の開口部の近傍における互いに対向する２つの箇所が各保持部材１８ａによりそれぞれ保持される。
【００４２】
紙幣収納袋１７は、軟質の合成樹脂により形成されている。紙幣収納袋１７は、全体が不透明に構成されているが、全体が半透明または透明に構成されてもよい。また紙幣収納袋１７は、一部が透明または半透明に構成され、残りの部分が不透明に構成されてもよい。本実施形態では、紙葉類５０１，５０２が紙幣収納袋１７に収納された順に下から順に積層されるスタッキング式のものが使用される。
【００４３】
ここで、一方の保持部材１８ａ（本実施形態では後側の保持部材１８ａ）はその位置が固定されている。これに対し、他方の保持部材１８ａ（本実施形態では前側の保持部材１８ａ）は、黒塗りの矢印で示すように保持部材駆動部１８ｃ（図３参照）により位置固定の後側の保持部材１８ａに向かって移動できる。また、図２に示すように、各保持部材１８ａにはそれぞれ加熱部材１８ｂが設けられている。そして、紙幣収納機構１８において各保持部材１８ａにより保持された紙幣収納袋１７に所定数の紙葉類群５００が収納された後、当該紙幣収納袋１７が紙幣収納機構１８から取り出される前に、前側の保持部材１８ａが後側の保持部材１８ａに向かって移動する。そして、これらの保持部材１８ａが互いに接合した状態で、加熱部材１８ｂによって紙幣収納袋１７の開口部の近傍の箇所に熱が与えられることにより当該紙幣収納袋１７の開口部１７ａはヒートシール（熱封止）される。
【００４４】
筐体１０の前面下部には、下部ユニット１０ｂを筐体１０の内部から外部に引き出す際に開かれる扉１０ｃが設けられている。また、紙幣処理装置１Ａには、扉１０ｃを閉状態でロックする扉ロック部（図示省略）が設けられている。所定の権限を有する者のみが、扉ロック部による扉１０ｃのロックを解除してこの扉１０ｃを開くことができる。なお、制御部５０（図１参照）は、扉１０ｃのロックの解除を禁止することができる。
【００４５】
紙葉類群５００が収納され、開口部１７ａが加熱部材１８ｂによりヒートシールされている紙幣収納袋１７を紙幣処理装置１Ａから回収する際に、オペレータはまず扉ロック部による扉１０ｃのロックを解除して図２に二点鎖線で示すように扉１０ｃを開く。次に、下部ユニット１０ｂを筐体１０の前面から前方に引き出すと、オペレータは紙幣収納機構１８の各保持部材１８ａから紙幣収納袋１７を取り外して下部ユニット１０ｂから回収することができるようになる。
【００４６】
筐体１２の上部前方には、上述の操作表示部１２が取り付けられている。操作表示部１２は例えばタッチパネルである。操作表示部１２には、紙幣処理装置１Ａにおける紙幣の入金処理等の処理状況や、各紙幣収納袋１７に収納されている紙幣の在高等に関する情報が表示される。また、オペレータは操作表示部１２を操作することにより制御部５０（図３参照）に対して様々な指令を与えることができる。
【００４７】
［２−１−２．制御構成］
上述したとおり、紙幣処理装置１Ａは制御部５０を備えている。この制御部５０について図３を参照して説明する。図３は、本発明の第１実施形態の紙幣処理装置１Ａの制御系の構成を示す機能ブロック図である。
【００４８】
制御部５０は、取込部１３に設けられた紙幣繰出機構１３ａ、排出部１４に設けられた羽根車１４ａを駆動するための駆動部１４ｂ（図２では省略）、搬送部１５、識別部１１及び収納繰出部１６に通信可能に接続されている。また、制御部５０は、紙幣収納機構１８に通信可能に接続されている。
【００４９】
紙幣収納機構１８は、加熱部材１８ｂ、一対の保持部材１８ａの一方を駆動する保持部材駆動部１８ｃと、保持部材１８ａに紙幣収納袋１７が取り付けられたことを検出する取付検出部１８ｄとを有している。保持部材駆動部１８ｃ及び取付検出部１８ｄは何れも図２では省略されている。
【００５０】
識別部１１による識別結果、具体的には、紙幣５０１，５０２の金種等の識別情報及びカード５０２のシリアルナンバ（特定情報）が、制御部５０に送信される。制御部５０はこれらの情報に基づいて、紙幣処理装置１Ａを構成する各部を制御する。
【００５１】
また、制御部５０には、操作表示部１２，記憶部５２及び送信部５１がそれぞれ接続されている。
【００５２】
記憶部５２は、紙葉類群５００毎に、紙幣５０１の合計金額，店舗情報及び日付情報を含む紙葉類群情報と、カード５０２のシリアルナンバとを関連づけた情報セットＩｎｆｏ.１を記憶する。さらに、記憶部５２は、紙葉類群５００毎の紙葉類５０１，５０２の枚数Ｎ１、各紙幣収納袋１７に収納されている紙幣５０１の枚数Ｎ２，金種，記番号及び在高等に関する情報などを記憶する。記憶部５２は、これらの情報を、制御部５０を介して識別部１１から取得する。制御部５０は、記憶部５２に記憶された情報を適宜参照し、紙幣処理装置１Ａの制御に使用する。
【００５３】
また、制御部５０は、送信部５１を制御して、記憶部５２に記憶された紙葉類群５００毎の情報セットＩｎｆｏ.１を現金回収センタＣの紙幣処理装置２（図１参照）へと送信する。
【００５４】
ここで、紙葉類群５００を入金処理して紙幣収納袋１７に収納するための制御部５０の機能について説明する。
【００５５】
制御部５０は、操作表示部１２が入金処理を開始する旨の操作を受け付けたことを検出すると、紙幣繰出機構１３ａを制御して、取込部１３に置かれた紙葉類群５００を構成する紙葉類５０１，５０２を下から順に１枚ずつ搬送部１５に繰り出す。図２に示す例では、紙葉類群５００を構成する紙葉類５０１，５０２の内、一番上に置かれたカード５０２が最後に搬送部１５に繰り出される。
【００５６】
制御部５０は、紙幣収納袋１７に収納される紙葉類であると識別部１１によって識別された紙葉類（紙幣５０１）と、識別部１１によってカードと識別された紙葉類（カード５０２）とを、搬送部１５を制御して収納繰出部１６に搬送する処理を行う。収納繰出部１６は、これらの紙葉類５０１，５０２を収納する。その一方、制御部５０は、搬送部１５を制御して、識別部１１によってリジェクト紙葉類と識別された紙葉類５０１，５０２を投出部１４に搬送する。
【００５７】
紙葉類群５００を構成する全ての紙葉類５０１，５０２が収納繰出部１６に搬送された後、制御部５０は、操作表示部１２が紙葉類群５００を紙幣収納袋１７に収納する旨の操作（以下「収納操作」という）を受け付けたことを検出すると、次のような制御を行う。
【００５８】
つまり、制御部５０は、収納繰出部１６に収納された紙幣５０１及びカード５０２を、収納した順とは逆順に繰り出して紙幣収納袋１７に供給する。図２に示す例では、紙幣収納袋１７には、既に、二群の紙葉類群５００が上下に積層された状態で紙幣収納袋１７に収納された状態が示されている。詳しくは、下方の紙葉類群５００Ａ（第２紙葉類群）と、上方の紙葉類群５００Ｂ（第１紙葉類群）とがそれぞれカード５０２を一番下（最下位、すなわち紙葉類群５００内で積層される順番が最初）にした状態で紙幣収納袋１７に収納されている状態が示されている。この結果、紙葉類群５００Ｂのカード５０２が、紙葉類群５００Ｂの紙幣５０１と、紙葉類群５００Ａとの間に配置される。すなわち、紙葉類群５００Ｂのカード５０２が、紙葉類群５００Ｂの紙幣５０１の束と、紙葉類群５００Ａの紙幣５０１の束とを仕切るセパレータとして機能する。
【００５９】
カード５０２は、カード５０２が属する紙葉類群５００の一番下に置かれているので、図２に示す例では、上側の紙葉類群５００Ｂのカード５０２は、下側の紙葉類群５００Ａとの境界に位置する。すなわち、カード５０２は、紙葉類群５００を特定するためものであると共に、図２に示すように複数の紙葉類群５００Ａ，５００Ｂが紙幣収納袋１７に収納される場合には、これらの紙葉類群５００Ａ，５００Ｂを物理的に仕切るセパレータとして機能する。
【００６０】
加えて、制御部５０は、図２に示す例では、識別部１１の識別情報に基づいて、紙幣収納袋１７へと搬送された紙幣５０１の合計金額を、紙葉類群５００Ａ，５００Ｂ毎に演算する。そして、制御部５０は、この合計金額と、紙幣収納袋１７に収納されたカード５０２のシリアルナンバを関連づけた情報セットＩｎｆｏ.１を紙葉類群５００毎に送信部５１を制御して紙幣処理サーバ３へと送信する。すなわち、紙葉類群５００Ａについての情報セットＩｎｆｏ.１（第１紙葉類群情報）と、紙葉類群５００Ｂについての情報セットＩｎｆｏ.１（第２紙葉類群情報）とが紙幣処理サーバ３へと送信される。
【００６１】
また、制御部５０は、操作表示部１２から、紙幣収納袋１７のシールを指示する旨の操作を受け付けた場合には、加熱部材１８ｂ及び保持部材駆動部１８ｃを制御して紙幣収納袋１７の開口部１７ａをシールする。
【００６２】
また、制御部５０は、紙幣収納袋１７の回収するための所定の処理を、紙幣収納袋１７にカード５０２が収納されていることを条件として行う。ここで、制御部５０は、識別部１１により識別されたカード５０２のシリアルナンバが記憶部５２に記憶されている場合には、紙幣収納袋１７にカード５０２が収納されていると判断する。その一方、制御部５０は、記憶部５２にカード５０２のシリアルナンバが記憶されていない場合には、紙幣収納袋１７にカード５０２が収納されていないと判断する。
【００６３】
紙幣収納袋１７の回収するための所定の処理としては、保持部材駆動部１８ｃと加熱部材１８ｂとを適宜制御して紙幣収納袋１７の開口部１７ａをヒートシールする処理がある。本実施形態では、制御部５０は、紙幣収納袋１７にカード５０２が収納されていない場合、紙幣収納袋１７の開口部１７ａのヒートシールが禁止され、結果的に紙幣収納袋１７の回収が禁止される。なお、御装置５０は、制紙幣収納袋１７の回収するための他の処理、例えば扉１０ｃのロックの解除を禁止するようにしてもよい。
【００６４】
また、制御部５０は、識別部１１の検出結果に基づいて、収納繰出部１６に収納されている紙葉類５０１，５０２の枚数Ｎ１（第１枚数）と、紙幣収納袋１７に収納されている紙葉類５０１，５０２の枚数Ｎ２（第２枚数）とを求め、これらの枚数の合算値Ｎを求める（Ｎ＝Ｎ１＋Ｎ２）。制御部５０は、この合算値Ｎが、紙幣収納袋１７に収納できる紙葉類５０１，５０２の上限枚数Ｎｍａｘ以下の場合には（Ｎ≦Ｍｍａｘ）、収納繰出部１６の紙葉類５０１，５０２を収納繰出部１６に収納することを許可する。
【００６５】
なお、制御部５０は、この合算値Ｎが、紙幣収納袋１７に収納できる紙葉類５０１，５０２の上限枚数Ｎｍａｘを超えた場合には（Ｎ＞Ｍｍａｘ）、操作表示部１２から、紙幣収納袋１７のシールを指示する旨の操作を受け付けなくても、紙幣収納袋１７のシールを開始するようにしてよい。
【００６６】
［２−２．制御フロー］
本発明の第１実施形態に係る紙幣処理について図４を参照して説明する。図４は本発明の第１実施形態に係る紙幣処理の制御フローの一例を示すフローチャートである。なお、この制御フローは、１つの紙葉類群５００が処理される毎に繰り返し実行される。
【００６７】
ステップＳ１０において、制御部５０は、取付検出部１８ｄの検出結果に基づいて紙幣収納袋１７が保持部材１８ａに取り付けられているか否かを判定する。
【００６８】
制御部５０は、紙幣収納袋１７が保持部材１８ａに取り付けられていないと判定した場合には、ステップＳ５において、紙幣収納袋１７の取付を要請する表示を操作表示部１２に表示させる。そして、制御部５０は、ステップＳ１０において、再び、紙幣収納袋１７が保持部材１８ａに取り付けられているか否かを判定する。
【００６９】
制御部５０は、ステップＳ１０で、紙幣収納袋１７が保持部材１８ａに取り付けられている判定した場合には、ステップＳ２０において、制御部５０は、操作表示部１２が、入金処理を開始する旨の操作を受け付けたか否かを判定する。制御部５０は、入金処理を開始する旨の操作を受け付けていない判定した場合には、ステップＳ２０において、再び、入金処理を開始する旨の操作を受け付けたか否かを判定する。一方、ステップＳ２０において、制御部５０は、入金処理を開始する旨の操作を受け付けたと判定した場合には、ステップＳ３０において、紙幣繰出機構１３ａ及び搬送部１５の作動を開始させて、紙葉類５０１，５０２の搬送を開始する。この際、制御部５０は、識別部１１が、搬送中の紙葉類５０１，５０２から取得した各種情報を受信して記憶部５２に記憶させる。
【００７０】
ステップＳ４０において、制御部５０は、記憶部５２に記憶された識別情報に基づき、リジェクト紙葉類又は識別部１１による識別不良等のエラーが発生したか否かを判定する。制御部５０は、リジェクト紙葉類又はエラーが発生したと判定した場合には、ステップＳ３５で、リジェクト紙葉類の取込部１３への再セットを促す表示を操作表示部１２に表示させる。その後、制御部５０は、ステップＳ２０において、再び、入金処理を開始する旨の操作を受け付けたか否かを判定する。
【００７１】
一方、ステップＳ４０において、制御部５０は、リジェクト紙葉類又はエラーが発生しなかったと判定した場合には、ステップＳ４５において、識別部１１の検出結果に基づいて、収納繰出部１６に収納されている紙葉類群５００に属する紙幣５０１の合計枚数（計数結果）を操作表示部１２に表示させる。制御部５０は、また、紙幣５０１の合計枚数の表示と共に、紙葉類群５００の紙幣収納袋１７への収納を開始するか否かを問い合わせる表示を操作表示部１２に表示させる。
【００７２】
ステップＳ５０において、制御部５０は、紙葉類群５００の紙幣収納袋１７への収納を開始する旨の操作（以下「収納開始操作」と称する）を操作表示部１２が受け付けたか否かを判定する。入金者は、例えば、入金者が認識している紙幣の入金枚数と、操作表示部１２に表示された紙幣５０１の合計枚数とが一致している場合には、収納開始操作を行い、そうでない場合には、操作表示部１２から入金処理をキャンセルする操作を行う。
【００７３】
制御部５０は、操作表示部１２が収納開始操作を受け付けなかった場合には、再びステップＳ５０において、操作表示部１２が収納開始操作を受け付けたか否かを判定する。
【００７４】
一方、ステップＳ５０において、制御部５０は、収納開始操作を受け付けたと判定した場合には、ステップＳ６０において、収納繰出部１６及び搬送部１５を制御して、収納繰出部１６内の紙葉類群５００を、カード５０２を先頭に搬送して紙幣収納袋１７に収納する。
【００７５】
そして、ステップＳ７０において、制御部５０は、紙葉類群５００毎に紙幣５０１の合計金額等とカード５０２のシリアルナンバとを関連づけた情報セットＩｎｆｏ.１を紙幣処理サーバ３へ送信する。
【００７６】
なお、上記の説明では、紙幣５０１及びカード５０２を繰出収納部１６を経由し（一旦、繰出収納部１６に収納し）、その後紙幣収納袋１７に収納する処理を行うよう制御部５０を構成したが、紙幣５０１及びカード５０２を繰出収納部１６を経由させずに、紙幣収納袋１７に収納する処理を行うよう制御部５０を構成してもよい。この場合、紙葉類５０１，５０２は、取込部１３に積層された順で紙幣収納袋１７に積層される。例えば同じ紙葉類群５００に属する紙葉類５０１，５０２を図２に示す順序で紙幣収納袋１７に積層する場合には、紙葉類５０１（紙幣５０１）の下に紙葉類５０２（カード５０２）が配置された状態で、紙葉類は取込部１３にセットされる。
【００７７】
［２−３．効果］
（１）本発明の第１実施形態によれば、紙幣処理装置１Ａにおいて、制御部５０が識別部１１による識別結果に基づいて搬送部１５を制御することで、紙葉類群５００を特定するためのシリアルナンバを有するカード５０２が、紙幣５０１と共に紙幣収納袋１７に収納される。具体的には、紙幣処理装置１Ａにおいて、紙幣５０１（紙葉類５０１）と、紙幣ではないセパレータとして機能するカード５０２（紙葉類５０２）とが取込部１３から紙幣処理装置１Ａ内に投入され、紙幣収納袋１７に収納される。したがって、その後に紙葉類群５００にカード５０２を添付するための作業が不要となる。すなわち、現金回収センタＣにおいてカード５０２を使用して紙葉類を処理する際の前準備を省略できる。
【００７８】
（２）また、カード５０２は、複数の紙葉類群５００Ａ，５００Ｂを物理的に仕切るセパレータとしても機能するので、現金回収センタＣの紙幣処理装置２で処理する際に、紙葉類群５００Ａ，５００Ｂを別々に処理することなく連続的に処理できる。
【００７９】
（３）また、紙幣収納袋１７の開口部１７ａのシールは、紙幣収納袋１７にカード５０２が収納されたことを条件に行われるので、カード５０２が収納されないまま開口部１７ａのシールが行われることが禁止される。ひいては開口部１７ａのシールを条件として行われる紙幣収納袋１７の紙幣処理装置１からの取り外しが禁止される。したがって、確実にカード５０２を紙幣５０１と共に、紙幣処理装置２が設置された現金回収センタＣのへ運ぶことができる。
【００８０】
（４）収納繰出部１６の紙葉類５０１，５０２の枚数Ｎ１と、紙幣収納袋１７の紙葉類５０１，５０２の枚数Ｎ２との合算値Ｎが、紙幣収納袋１７に収納できる上限枚数Ｎｍａｘ以下の場合、収納繰出部１６の紙葉類５０１，５０２を収納繰出部１６に収納することが許可される。したがって、紙幣収納袋１７に、できるだけ多くの紙葉類群５００を効率的に収納できる。
【００８１】
（５）識別部１１によりカード５０２のシリアルナンバを読み取る。したがって、このシリアルナンバと、当該カード５０２と同じ紙葉類群５００に属する紙幣５０１の売上金額とを関連づけた情報セットＩｎｆｏ.１を作成することが可能となる。現金回収センタＣの紙幣処理装置２が取得した情報セットＩｎｆｏ.２もカード５０２のシリアルナンバと売上金額とが関連づけられている。シリアルナンバが共通する情報セットＩｎｆｏ.１，Ｉｎｆｏ.２の売上金額どうしを比較することで、同一取引に関する情報セットＩｎｆｏ.１，Ｉｎｆｏ.２の売上金額が同一であるかを検証できる。また、紙幣処理装置１Ａから情報セットＩｎｆｏ.１を、紙幣処理装置２から情報セットＩｎｆｏ.２をそれぞれ紙幣処理サーバ３に出力して、これらの情報セットＩｎｆｏ.１，Ｉｎｆｏ.２の照合を紙幣処理サーバ３が行うことで、当該検証を効率的に行える。
【００８２】
（６）複数の紙葉類群５００Ａ，５００Ｂを仕切るカード５０２が紙幣ではないので、紙葉類群５００Ａ，５００Ｂを明確に仕切ることができ、紙葉類群５００Ａ，５００Ｂの境界の誤認を抑制できる。
【００８３】
（７）カード５０２を紙幣処理装置１Ａの外部に設けられた取込部１３から搬送部１５へ供給するので人手によりカード５０２を取込部１３にセットできる。したがって、紙幣処理装置１Ａの構成を簡素化できる。また、紙幣５０１を投入するための取込部１３を、カード５０２の供給用に兼用するので、この点でも紙幣処理装置１Ａの構成を簡素化できる。
【００８４】
（８）装置情報又はカード５０２のシリアルナンバが情報セットＩｎｆｏ.１と関連づけられて、紙幣処理サーバ３に送られ、紙幣処理サーバ３は装置情報又はカード５０２とから使用者情報を外部（本実施形態では現金回収センタＣの紙幣処理装置２）に出力する。したがって、当該シリアルナンバのカード５０２を含む紙葉類群５００の所有者を明確にすることができる。
【００８５】
（９）情報セットＩｎｆｏ.１に、店舗情報及び日付情報が含まれているので、売上金額をきめ細かく管理できる。
【００８６】
（１０）情報セットＩｎｆｏ.１に、オペレータ情報を含めれば、入金処理の責任の所在を明確にできる。
【００８７】
［２−４．変形例］
（１）上記実施形態では、取込部１３に、同じ紙葉類群５００の属する紙幣５０１とカード５０２とを積層して紙幣５０１とカード５０２とを連続的に処理したが、これに限定されない。同じ紙葉類群５００の属する全ての紙幣５０１を収納繰出部１６に搬送した後、カード５０２を取込部１３にセットし収納繰出部１６に搬送するようにしてもよい。或いは、カード５０２を収納繰出部１６に搬送した後、紙幣５０１を取込部１３にセットし収納繰出部１６に搬送するようにしてもよい。
【００８８】
（２）上記実施形態では、紙幣収納袋１７に複数の紙葉類群５００を収納して回収し、現金回収センタＣへと搬送する例を説明したが、紙幣収納袋１７に紙葉類群５００を一つだけ収納して回収し、現金回収センタＣへと搬送するようにしてもよい。
【００８９】
（３）カード５０２が紙幣収納袋１７に収納されたことをトリガーとして、紙幣収納袋１７をシールするようにしてもよい。例えば、紙幣収納袋１７に紙葉類群５００を一つだけ収納して回収することを予め決めておくと共に、紙葉類群５００の内、カード５０２が最後に紙幣収納袋１７に収納されるようにする。そして、カード５０２が紙幣収納袋１７に収納されると、紙幣収納袋１７をシールする。
【００９０】
（４）紙幣収納袋１７を紙幣処理装置１Ａから取り外す前に行われる処理に、紙幣５０１とカード５０２との間で紙幣収納袋１７を仕切る処理を含めてもよい。例えば、カード５０２が収納された後、紙幣５０１が収納されるまでの間に、紙幣収納袋１７の左側面と右側面とを、カード５０２の上方において、前後方向に沿って連続的又は断続的に溶着すればよい。
【００９１】
この溶着は、紙幣５０１がカード５０２側に、又は、カード５０２が紙幣５０１側に移動してしまわない程度に紙幣５０１とカード５０２との間を仕切ることができればよく、例えば溶着線が破線状になってもよい。このように、紙幣収納袋１７において、紙幣５０１とカード５０２との間を仕切る場合には、スタッキング式の紙幣収納袋１７に替えてフリーフォール式の紙幣収納袋１７を使用してもよい。つまり、フリーフォール式の紙幣収納袋１７では、通常であれば収納された紙幣５０１とカード５０２とが混在してしまうが、紙幣５０１とカード５０２との間を仕切ることでこのような混在を防止でき、カード５０２を容易に見つけ出すことができる。
【００９２】
この場合、紙幣収納袋１７を所定の高さで溶着するため機構が必要となる。このような機構としては、紙幣収納袋１７を挟み付けて溶着する溶着装置を、上下に移動できるようにしたものが考えられる。
【００９３】
また、紙幣収納袋１７に複数の紙葉類群５００を収納する場合には、同様の手法により紙葉類群５００の相互間で紙幣収納袋１７を仕切るようにしてもよい。
【００９４】
例えば紙幣収納袋１７を商業施設Ａから現金回収センタＣに移送する最中に、紙幣収納袋１７内で紙葉類群５００の積層状態が崩れても、紙幣５０１とカード５０２との間で紙幣収納袋１７を仕切ることにより、紙幣５０１にカード５０２が紛れ込むことを防止できる。また、紙幣収納袋１７内で紙葉類群５００の積層状態が崩れても、紙葉類群５００の相互間で紙幣収納袋１７を仕切ることにより、異なる紙葉類群５００が混ざってしまうことを防止できる。
【００９５】
（５）紙幣収納袋１７において、カード５０２が紙葉類群５００の一番上（最上位、すなわち紙葉類群５００内で積層される順番が最後）に配置されるようにしてもよい。或いは、一つの紙葉類群５００の一番上と一番下の両方にそれぞれカード５０２を配置するようにしてもよい。
【００９６】
［３．第２実施形態］
［３−１．構成］
本発明の第２実施形態の紙幣処理装置について図５を参照して説明する。図５は、本発明の第２実施形態の紙幣処理装置の構成を示す模式図である。
【００９７】
本実施形態の紙幣処理装置１は、図５に示す紙幣処理装置１Ｂ（第１処理装置）により構成される。この紙幣処理装置１Ｂは、カード供給ユニット１９（供給ユニット）を備えている点で、第１実施形態の紙幣処理装置１Ａ（図２参照）と異なる。
【００９８】
カード供給ユニット１９は、複数のカード５０２を保持可能であり、これらのカード５０２を一枚ずつ搬送部１５に繰り出す。このカード供給ユニット１９は、本実施形態では、収納繰出部１６と同様にテープリール式の繰出装置により構成されている。カード供給ユニット１９は、搬送路１５における識別部１１よりも上流の位置にカード５０２を供給するように構成されている。
【００９９】
制御処理装置１Ｂは制御部５０を備えている（図１参照）。制御部５０は、操作表示部１２が入金処理を開始する旨の操作を受け付けたことを検出すると、カード供給ユニット１９を制御して、カード供給ユニット１９から１枚のカード５０２を識別部１１の手前（搬送方向上流側）で搬送部１５に供給する。制御部５０は、搬送部１５を制御して、このカード５０２を収納繰出部１６へと搬送する。次いで、制御部５０は、紙幣繰出機構１３ａ及び搬送部１５を制御して、取込部１３から紙幣５０１を順次送り出して搬送部１５により収納繰出部１６へと搬送する。
【０１００】
なお、取込部１３の紙幣５０１の全てが収納繰出部１６に搬送されてから、カード５０２が収納繰出部１６に供給されるようにしてもよい。例えば、制御部５０は、取込部１３の最後の紙幣５０１が収納繰出部１６に搬送されてから、カード供給ユニット１９を制御して、カード５０２を搬送部１５へ供給する。
【０１０１】
また、カード供給ユニット１９には、保持しているカード５０２の枚数を監視するセンサ（図示省略）が設けられている。このセンサの検出結果は制御部５０へと送信される。制御部５０は、この検出結果に基づいてカード供給ユニット１９に保持されているカード５０２の枚数が所定枚数以下であると判定した場合は、カード供給ユニット１９へのカード５０２の補充を促すメッセージを操作表示部１２に表示させる。
【０１０２】
［３−２．制御フロー］
本発明の第２実施形態に係る紙幣処理について図６を参照して説明する。図６は本発明の第２実施形態に係る紙幣処理の制御フローの一例を示すフローチャートである。なお、この制御フローは、１つの紙葉類群５００が処理される毎に繰り返し実行される。
【０１０３】
図６に示す制御フローは、ステップＳ２５が追加された点で、図４に示す第１実施形態に係る制御フローとは異なる。すなわち、操作表示部１２が収納開始操作を受け付けて入金処理が開始されると、制御部５０は、ステップＳ２５でカード供給ユニット１９を作動させてカード５０２を収納繰出部１６へ供給し、その後搬送部１５を制御してカード５０２を紙幣収納袋１７に搬送し収容する。その後、制御部５０は、ステップＳ３０で収納繰出部１６及び搬送部１５を制御して紙幣５０１を紙幣収納袋１７に搬送し収容する。
【０１０４】
なお、ステップＳ４０において、リジェクト紙葉類又は識別部１１による識別不良等のエラーが発生したためにステップＳ２０を経てステップＳ２５に再び処理が進んだ場合には、既にカード５０２が供給されるため、制御部５０は、カード供給ユニット１９を作動させない。
【０１０５】
なお、カード供給ユニット１９を作動させるステップを、ステップＳ２０とステップＳ３０との間に設ける代わりに、ステップＳ６０とステップＳ７０との間に設けてもよい。この場合、全ての紙幣５０１が収納繰出部１６に収納されてから、カード５０２が収納繰出部１６に収納されることとなる。
【０１０６】
その他は、第１実施形態の紙幣処理装置１Ａの制御フローと同一なので説明を省略する。
【０１０７】
［３−３．効果］
本発明の第２実施形態によれば、第１実施形態の効果に加えて、カード５０２がカード供給ユニット１９により供給される。具体的には、紙幣処理装置１Ｂにおいて、紙幣５０１（紙葉類５０１）が取込部１３から紙幣処理装置１Ｂ内に投入され、紙幣ではないセパレータとして機能するカード５０２（紙葉類５０２）がカード供給ユニット１９から供給される。そして、紙幣５０１及びカード５０２が紙幣収納袋１７に収納される。これにより、紙幣処理装置１において作業者がカード５０２を紙幣５０１に重ねる作業を省略できる。
【０１０８】
［３−４．変形例］
（１）操作表示部１２が収納開始操作を受け付けて、カード供給ユニット１９からカード５０２が供給され紙幣収納袋１７に収納されたことをトリガーとして、紙幣収納袋１７をシールするようにしてもよい。
【０１０９】
［４．第３実施形態］
［４−１．構成］
［４−１−１．紙幣処理装置の構成］
本発明の第３実施形態の紙幣処理装置について図７を参照して説明する。図７は、本発明の第３実施形態の紙幣処理装置の構成を示す模式図である。
【０１１０】
本実施形態の紙幣処理装置１は、図７に示す紙幣処理装置１Ｃ（第１処理装置）により構成される。この紙幣処理装置１Ｃは、第１実施形態の紙幣処理装置１Ａと同様に、紙幣の入金処理等の様々な処理を行うことができるように構成されている。以下の説明では、紙幣処理装置１Ａの操作表示部１２の配置された側を前とし、その反対側を後とし、前後方向と直交する水平方向を左右方向とする。
【０１１１】
図７に示すように、紙幣処理装置１Ｃは略直方体形状の筐体１０１ａを有している。また、紙幣処理装置１Ｃは上部ユニット１０２および下部ユニット１０３を有している。上部ユニット１０２には、取込部１１０，搬送部１１２，識別部１１，紙幣投出部１１６及び出金リジェクト部１１８が設けられている。
【０１１２】
取込部１１０は、紙葉類群５００を構成する複数の紙幣５０１とカード５０２とを、筐体１０１ａの外部から内部に投入するためのものである。
【０１１３】
搬送部１１２は、取込部１１０により筐体１０１ａの内部に投入された紙葉類５０１，５０２を搬送する。
【０１１４】
識別部１１は、第１実施形態と同様に、搬送部１１２により搬送される紙幣５０１の金種、真偽、表裏、正損、新旧及び搬送状態等を識別し、さらには、搬送部１１２によって搬送されるカード５０２の真偽及びカード５０２のシリアルナンバを識別する。
【０１１５】
紙幣投出部１１６は、筐体１０１ａの内部から外部に紙幣５０１を投出する。
【０１１６】
出金リジェクト部１１８は、リジェクト紙葉類を収納する。
【０１１７】
取込部１１０には、オペレータによって１つの紙葉類群５００が載置される。取込部１１０には、フィードローラやキッカローラ等の複数のローラが設けられており、紙葉類群５００を構成する紙葉類５０１，５０２が下から順にキッカローラによりフィードローラに向かって１枚ずつ蹴り出される。この蹴り出された紙幣がフィードローラにより筐体１０１ａの内部に１枚ずつ繰り出される。この筐体１０１ａの内部に繰り出された紙葉類５０１，５０２は搬送部１１２により１枚ずつ搬送される。
【０１１８】
また、図７に示すように、搬送部１１２は上部ユニット１０２および下部ユニット１０３をまたがるよう設けられている。下部ユニット１０３において搬送部１１２には複数（図７に示す例では４つ）の収納繰出部１２０（一時保留部）が接続されている。
【０１１９】
各収納繰出部１２０は、搬送部１１２から送られた紙幣５０１又はカード５０２を収納するとともに、収納されている紙幣５０１又はカード５０２を１枚ずつ搬送部１１２に繰り出すことができる。より詳細には、各収納繰出部１２０は、１または複数のドラム１２２を有しており、搬送部１１２から送られた紙幣５０１又はカード５０２を１枚ずつ一対のテープ間に挟み込んだ状態で当該テープを紙幣とともにドラム１２２に巻き取る。また、ドラム１２２がテープの巻き取り方向とは逆方向に回転すると、当該ドラム１２２からテープが巻き出されることにより一対のテープ間に挟まれている紙幣５０１又はカード５０２が搬送部１１２に１枚ずつ繰り出されるようになる。
【０１２０】
また、下部ユニット１０３には、搬送部１１２により搬送された紙葉類群５００を収納する収納カセット１３０（収納部）が設けられている。この収納カセット１３０は、図示しないカセット取付ユニットに着脱可能にセットされている。収納カセット１３０をカセット取付ユニットから取り外し、下部ユニット１０３の前面に設けられた扉１０ｃを開いて、筐体１０１ａから取り出すことで、収納カセット１３０ごと紙葉類群５００を回収できる。紙葉類群５００は収納カセット１３０ごと現金回収センタＣへと移送される。
【０１２１】
［４−１−２．制御］
制御処理装置１Ｃは制御部５０を備えている（図１参照）。制御部５０は、操作表示部１２が入金処理を開始する旨の操作を受け付けたことを検出すると、取込部１１０に置かれた紙葉類群５００を構成する紙葉類５０１，５０２を下から順に１枚ずつ搬送部１１２に繰り出す。
【０１２２】
制御部５０は、搬送部１１２を制御して、識別部１１によってカードと識別された紙葉類（カード５０２）を、複数の収納繰出部１２０の内で、予めカード５０２の収納用として設定されたカード用収納繰出部１２０Ａに搬送する。なお、本実施形態では、一番上の収納繰出部１２０がカード用収納繰出部１２０Ａとして使用される。
【０１２３】
制御部５０は、また、搬送部１１２を制御して、識別部１１によって正券と識別された紙葉類（紙幣５０１）を、金種に応じて所定の紙幣用収納繰出部１２０Ｂに搬送する。紙幣用収納繰出部１２０Ｂとは、収納繰出部１２０の内、カード用収納繰出部１２０Ａを除く収納繰出部１２０をいう。
【０１２４】
紙葉類群５００を構成する全ての紙葉類５０１，５０２が、収納繰出部１２０に搬送された後、制御部５０は、操作表示部１２が収納開始操作を受け付けたことを検出すると、次のような制御を行う。
【０１２５】
つまり、制御部５０は、紙幣用収納繰出部１２０Ｂに収納された紙幣５０１及びカード用収納繰出部１２０Ａに収納されたカード５０２を繰り出して収納カセット１３０に収納する。詳しくは、制御部５０は、カード用収納繰出部１２０Ａから一枚のカード５０２を収納カセット１３０に送った後、紙幣用収納繰出部１２０Ｂから紙幣５０１を収納カセット１３０に送る。又は、制御部５０は、全ての紙幣用収納繰出部１２０Ｂから紙幣５０１を収納カセット１３０に送った後、カード用収納繰出部１２０Ａからカード５０２を収納カセット１３０に送る。これにより、カード５０２は、紙葉類群５００の一番下に又は一番上に置かれるようになる。
【０１２６】
紙葉類群５００が収納カセット１３０に収納されると、又は、操作表示部１２が収納開始操作を受け付けると、制御部５０は、記憶部５２に格納した紙葉類群５００の紙幣５０１の金種及び金種毎の枚数から、紙葉類群５００の合計金額を演算する。そして、制御部５０は、この合計金額と、当該紙幣５０１と同じ紙葉類群５００に属するカード５０２のシリアルナンバ等を含む情報セットＩｎｆｏ.１とを、送信部５１を制御して、紙幣処理サーバ３へと送信する。
【０１２７】
紙幣処理装置１Ｃから、収納カセット１３０を回収するため所定の処理として、扉ロック部による扉１０ｃのロックを解除して扉１０ｃを開く処理がある。制御部５０は、収納カセット１３０にカード５０２が収納されていない場合、扉１０ｃのロックの解除を禁止し、ひいては収納カセット１３０の回収を禁止する。
【０１２８】
この他の構成は第１実施形態と同様であるので説明を省略する。
【０１２９】
［４−２．効果］
本発明の第３実施形態によれば第１実施形態と同様の効果が得られる。
【０１３０】
［５．第４実施形態］
［５−１．構成］
本発明の第４実施形態の紙幣処理装置について図８を参照して説明する。図８は、本発明の第４実施形態の紙幣処理装置の構成を示す模式図である。
【０１３１】
本実施形態の紙幣処理装置１は、図８に示す紙幣処理装置１Ｄ（第１処理装置）により構成される。この紙幣処理装置１Ｄは、次の点で、第３実施形態の紙幣処理装置１Ｃ（図７参照）と異なる。すなわち、紙幣処理装置１Ｄでは、複数の収納繰出部１２０の内、所定の収納繰出部１２０（本実施形態では一番上の収納繰出部１２０）が、カード供給ユニット１９として使用される。また、紙幣処理装置１Ｄには、搬送部１１２において収納カセット１３０に繋がる箇所１１２ａ（以下「搬送部１１２ａ」と称する）に識別部１１Ａが設けられている。識別部１１Ａは、カード供給ユニット１９から搬送部１１２ａに供給されたカード５０２の真偽及びカード５０２のシリアルナンバを識別する。
【０１３２】
制御処理装置１Ｄは制御部５０を備えている（図１参照）。制御部５０は、操作表示部１２が収納開始操作を受け付けたことを検出すると、紙幣用収納繰出部１２０Ｂと搬送部１１２ａとを制御して、紙幣用収納繰出部１２０Ｂの紙幣５０１を収納カセット１３０に収納する。紙葉類群５００に属する全ての紙幣５０１が収納カセット１３０に収納されると、制御部５０は、カード供給ユニット１９を制御して１枚のカード５０２を搬送部１１２ａに供給し、搬送部１１２ａを制御してこのカード５０２を収納カセット１３０へと搬送する。
【０１３３】
なお、カード５０２が収納カセット１３０に収納されてから、紙幣５０１が収納カセット１３０に収納されるようにしてもよい。
【０１３４】
［５−２．効果］
本発明の第４実施形態によれば第３実施形態と同様の効果が得られる。
【０１３５】
［６．変形例］
（１）第１実施形態又は第３実施形態では、紙幣ではないセパレータとして機能するカード５０２により紙葉類群５００を特定したが、セパレータとして機能するカード５０２を用いなくても、紙葉類群５００に含まれる紙幣５０１により紙葉類群５００を特定するようにしてもよい。具体的には、紙葉類群５００を特定する特定情報として、識別部１１により特定されたセパレータとして機能させるための紙幣５０１（以下「特定の紙幣５０１」という）の記番号を使用する。特定の紙幣５０１は、紙葉類群５００を構成する複数の紙幣５０１の内で、一番上の紙幣５０１及び一番下の紙幣５０１の少なくとも一方である。
【０１３６】
言い換えると、当該変形例では、紙幣処理装置１において、セパレータとして機能させるための特定の紙幣５０１（紙葉類５０１）を含む紙幣５０１（紙葉類５０１）が取込部１３から紙幣処理装置１内に投入され、投入された紙幣５０１のうち特定の紙幣５０１（特定の紙葉類５０１）の記番号が特定情報として取得され、その後、特定の紙幣５０１を含む紙幣５０１が紙幣収納袋１７に収容される。
【０１３７】
紙葉類群５００を特定する特定情報に紙幣５０１の記番号を使用することで、カード５０２を不要とすることができる。
【０１３８】
（２）第１実施形態又は第３実施形態では、紙幣処理装置１Ａの外部に設けられた紙幣５０１用の取込部１３から、カード５０２を搬送部１５へ供給したが、取込部１３とは別に、カード５０２を搬送部１５へ供給する専用の取込部を設けてもよい。
【０１３９】
（３）カード５０２のシリアル番号と、紙幣収納袋１７や収納カセット１３０に付された紙幣収納袋１７や収納カセット１３０を特定するための収納部特定情報（例えば紙幣収納袋１７毎に固有の番号や収納カセット１３０毎に固有の番号）とを関連づけてもよい。すなわち情報セットＩｎｆｏ.１に紙幣収納袋１７や収納カセット１３０の収納部特定情報を含めてもよい。
【０１４０】
（４）第２実施形態において、カード供給ユニット１９からだけでなく取込部１７からカード５０２を供給できるようにしてもよい。同様に、第４実施形態において、カード供給ユニット１９（収納繰出部１２０）からだけでなく取込部１１０からカード５０２を供給できるようにしてもよい。
【０１４１】
（５）上記実施形態では、紙幣収納袋１７又は収納カセット１３０に複数群の紙葉類群５００を収納した例を説明したが、紙幣収納袋１７又は収納カセット１３０に収納する紙葉類群５００は一群であってもよい。
【産業上の利用可能性】
【０１４２】
本発明は、複数の紙葉類からなる紙葉類群を処理する紙葉類処理装置に適用することができる。よって、その産業上の利用可能性は多大である。
【符号の説明】
【０１４３】
１，１Ａ，１Ｂ，１Ｃ，１Ｄ  紙幣処理装置（第１処理装置）
２  紙幣処理装置（第２処理装置）
３  紙幣処理サーバ（紙葉類処理サーバ）
１０  筐体
１０ａ  上部ユニット
１０ｂ  下部ユニット
１０ｃ  扉
１１，１１Ａ  識別部
１２  操作表示部
１３  取込部
１３ａ  紙幣繰出機構
１４  投出部
１４ａ  羽根車
１５  搬送部
１６  収納繰出部（一時保留部）
１６ａ  ドラム
１７  紙幣収納袋（収納部）
１８  紙幣収納機構
１８ａ  保持部材
１８ｂ  加熱部材
１９  カード供給ユニット（供給ユニット）
５０  制御部
５１  送信部
５２  記憶部
６０  制御部
６１  送受信部
７０  サーバ制御部
７１  送受信部
７２  記憶部
１０１ａ  筐体
１０２  上部ユニット
１０３  下部ユニット
１１０  取込部
１１２，１１２ａ  搬送部
１１６  紙幣投出部
１１８  出金リジェクト部
１２０  収納繰出部（一時保留部）
１２０Ａ  カード用収納繰出部
１２０Ｂ  紙幣用収納繰出部
１３０  収納カセット（収納部）
５００  紙葉類群
５００Ａ  紙葉類群（第２紙葉類群）
５００Ｂ  紙葉類群（第１紙葉類群）
５０１  紙幣（第１紙葉類）
５０２  カード（第２紙葉類）
Ｉｎｆｏ.１  紙幣処理装置１の情報セット
Ｉｎｆｏ.２  紙幣処理装置２の情報セット
Ａ  商業施設
Ｃ  現金回収センタ
Ｓ  紙葉類処理システム
【図１】
2020046705.tif 000003
【図２】
2020046705.tif 000004
【図３】
2020046705.tif 000005
【図４】
2020046705.tif 000006
【図５】
2020046705.tif 000007
【図６】
2020046705.tif 000008
【図７】
2020046705.tif 000009
【図８】
2020046705.tif 000010